(57)【要約】【課題】  ベランダ等において布団の片面全面が簡単な操作で日干しでき、不使用時にはコンパクトに収納できるようにし、布団の姿勢を安定した状態で干すことができるようにする。【解決手段】  ベランダの手摺り部Ｔに固定枠体２を取付け、この固定枠体２の固定基準軸２０に回動自在な第１回動枠体３、及び第２回動枠体４を設け、第２回動枠体４の第２基準軸４０に回動自在な第３回動枠体５を設ける。また、固定枠体２の傾斜パイプ２２の先端部に第１受部２６を設け、基端側に第２受部２７を設ける。そして、第１回動枠体３を前方に回動させると、第１基準軸３０が第１受部２６に保持されるようにし、第２、第３回動枠体４、５を前方に回動させて第３回動枠体の第３基準軸５０を第２受部２７に載置させると、第１基準軸３０と第３基準軸５０がいずれも固定基準軸２０より高位になるようにし、その上に布団Ｆを干す。【選択図】      図２
0003120381.tif 000002
【実用新案登録請求の範囲】
【請求項１】
ベランダの手摺り部に取り付けられる布団干し具であって、前記ベランダの手摺り部の上部に装着可能となり且つ手摺り部と平行な固定基準軸を有する固定枠体と、この固定枠体の固定基準軸まわりに回動自在となり且つ前記手摺り部と平行な第１基準軸を有する第１回動枠体と、前記固定枠体の固定基準軸まわりに回動自在となり且つ前記手摺り部と平行な第２基準軸を有する第２回動枠体と、前記第２回動枠体の第２基準軸まわりに回動自在な第３回動枠体を備え、前記固定枠体には、ベランダの手摺り部より前方に張り出す第１受部と、ベランダの手摺り部より後方に張り出す第２受部が設けられるとともに、前記第１受部によって前記第１回動枠体の第１基準軸を支持できるようにされ、また、前記第２受部によって前記第３回動枠体の第３基準軸を支持できるようにされ、前記第１受部、第２受部によってそれぞれ第１回基準軸、第３基準軸を支持した状態で、前記第１基準軸と第２基準軸が前記固定基準軸より高所に位置するようにされ、その状態で、第２基準軸、固定基準軸、第１基準軸の上部に掛けた布団の一端側を第１基準軸から下方に垂下させるようにしたことを特徴とする布団干し具。
【請求項２】
前記第１回動枠体の第１基準軸と、第２回動枠体の第２基準軸は、軸方向に対して伸縮自在にされることを特徴とする請求項１に記載の布団干し具。
【請求項３】
前記固定枠体の手摺り部への取付部には、手摺り部の幅や高さが異なっても取付幅や取付高さを調整することのできる調整機構が設けられることを特徴とする請求項１又は請求項２に記載の布団干し具。
【請求項４】
前記固定枠体は、前記手摺り部に対して直角方向に配設され且つ先端に前記第１受部が取着される傾斜パイプを備えるとともに、前記第１回動枠体は、前記固定枠体の固定基準軸に回動自在に取り付けられ且つ前記傾斜パイプと平行な接続パイプを備え、前記傾斜パイプと接続パイプの中間部は、折れ曲り自在にされることを特徴とする請求項１乃至請求項３のいずれか１項に記載の布団干し具。
【考案の詳細な説明】
【技術分野】
【０００１】
本考案は、例えばマンション等のベランダにおいて布団の全面を干すことができる布団干し具に関する。
【背景技術】
【０００２】
従来、マンション等のベランダの手摺り部に布団を干す際、布団の片面側全面を日光に当てて干すような技術として、ベランダの塀などに取り付けた取付部に対してベランダの外側で回転自在な第１支持部と、ベランダの内側で回転自在な第２支持部を設け、第１支持部と第２支持部をほぼ水平姿勢に保持するための第１補助部と第２補助部を設けることにより、布団を干す際は、第１支持部と第２支持部がほぼ水平な同一平面になるようにし、不使用時にはベランダの塀の外側と内側に折り畳むようにした技術（例えば、特許文献１参照。）や、ベランダの塀等に物干し板固定具を取り付け、この物干し板固定具に取り付けた二枚の物干し板に布団等を載せた後、物干し板支持具によって二枚の物干し板を所定角度の傾斜させるようにした技術（例えば、特許文献２参照。）や、パイプで四角形の枠を組んだ本体に溝を設け、この溝をベランダの手摺りに掛けて、本体の上面に布団を干すような技術（例えば、特許文献３参照。）や、ベランダに隣接してパイプ組付体を設置し、パイプ組付体の土台部に重し石を載せて安定させるとともに、パイプ組付体の前面からベランダの前面にかけて布団を吊下げるようにセットしてゴムバンドで固定するような技術（例えば、特許文献４参照。）などが知られている。
【０００３】
【特許文献１】実用新案登録第３０９１１９８号公報
【特許文献２】実開平６−３８３号公報
【特許文献３】特開２０００−２８８２９６号公報
【特許文献４】特開２０００−２０２１９２号公報
【考案の開示】
【考案が解決しようとする課題】
【０００４】
ところが、上記特許文献１や特許文献２の技術の場合、複数枚の布団を干すことができるようにすると、全体の形状が大きくなって、取扱いにくくなり、また、布団干し具として不使用時にはベランダに大きな枠体が露出するため見栄えが良くないという問題がある。また、特許文献３の場合でも、複数枚の布団を干すことができるようにすると、一人ではベランダに取り付けることが困難となり、また、収納時にコンパクトに纏まらないため、見栄えが悪いという問題がある。更に、特許文献４のように、ベランダに隣接してパイプ組付体を設置するような技術は、パイプ組付体の位置決めが不安定であり、また、布団を干す状態にセットする作業も簡単ではなかった。
また、どの技術でも、布団の姿勢を斜めにして直射日光に当てようとすると、布団がずり落ちないようにするために、強力なクリップ等で固定する必要があり、その作業が煩わしかった。
【０００５】
そこで本考案は、複数枚の布団の片面全面が簡単な操作で日干しでき、しかも不使用時にはコンパクトに纏まって外観性を良好にするとともに、布団の姿勢を安定した状態で干すことのできる布団干し具を提供することを目的とする。
【課題を解決するための手段】
【０００６】
上記目的を達成するため本考案は、ベランダの手摺り部に取り付けられる布団干し具において、前記ベランダの手摺り部の上部に装着可能となり且つ手摺り部と平行な固定基準軸を有する固定枠体と、この固定枠体の固定基準軸まわりに回動自在となり且つ前記手摺り部と平行な第１基準軸を有する第１回動枠体と、前記固定枠体の固定基準軸まわりに回動自在となり且つ前記手摺り部と平行な第２基準軸を有する及び第２回動枠体と、前記第２回動枠体の第２基準軸まわりに回動自在な第３回動枠体を設け、前記固定枠体には、ベランダの手摺り部より前方に張り出す第１受部と、ベランダの手摺り部より後方に張り出す第２受部を設けるとともに、前記第１受部によって前記第１回動枠体の第１基準軸を支持できるようにし、また、前記第２受部によって前記第３回動枠体の第３基準軸を支持できるようにし、前記第１受部、第２受部によってそれぞれ第１回基準軸、第３基準軸を支持した状態で、前記第１基準軸と第２基準軸が前記固定基準軸より高所に位置するようにし、その状態で、第２基準軸、固定基準軸、第１基準軸の上部に掛けた布団の一端側を第１基準軸から下方に垂下させるようにした。
【０００７】
そして、布団を干す際は、第１回動枠体と第２回動枠体を回動させて、第１受部、第２受部によってそれぞれ第１回基準軸、第３基準軸を支持した状態にすれば、固定基準軸を挟んで、第１基準軸と第２基準軸の高さが固定基準軸より高くなるため、この上に布団を載せれば、布団が略Ｖ字型になってずり落ちにくくなり、安定した姿勢で干すことができる。また、物干し具として使用しないときには、第１回動枠体と第２回動枠体をベランダの裏側に回動させて収納すれば、すっきりと纏まって外から見た時の見栄えが低下しない。
【０００８】
また本考案では、前記第１回動枠体の第１基準軸と、第２回動枠体の第２基準軸を、軸方向に対して伸縮自在にした。
そして、布団を複数枚干すときは、第１基準軸と第２基準軸を延ばすようにすれば、複数枚の布団でも一度に干すことができる。
【０００９】
また本考案では、前記固定枠体の手摺り部への取付部には、手摺り部の幅や高さが異なっても取付幅や取付高さを調整することのできる調整機構が設けるようにした。
このような取付部の調整機構により、各種タイプのベランダの手摺り部に対応できるようになり、汎用性が増す。
【００１０】
また本考案では、固定枠体に、手摺り部に対して直角方向に配設され且つ先端に前記第１受部が取着される傾斜パイプを設けるとともに、第１回動枠体に、固定枠体の固定基準軸に回動自在に取り付けられ且つ前記傾斜パイプと平行な接続パイプを設け、前記傾斜パイプと接続パイプの中間部を、折れ曲り自在にした。
そして、第１回動枠体の接続パイプの中間部を折れ曲り自在にすれば、第１回動枠体を回動させる操作が楽に行えるようになり、固定枠体の傾斜パイプの中間部を折れ曲り自在にすれば、収納状態を一層すっきりさせることができる。
【考案の効果】
【００１１】
ベランダの手摺り部に取り付けられる布団干し具として、固定基準軸に対して回動自在な第１、第２回動枠体を設け、物干し具として使用しないときは、ベランダの裏側に収納することにより、外観性の低下を防止することができ、また、使用する際は、第１回動枠体と第２回動枠体を回動させて、第１受部、第２受部によってそれぞれ第１回基準軸、第３基準軸を支持した状態にすることにより、第１基準軸と第２基準軸の高さが、その間の固定基準軸より高くなるため、布団を略Ｖ字型の姿勢にしてずり落ちにくく安定した状態で干すことができる。
そして、第１基準軸と第２基準軸を、軸方向に対して伸縮自在にすれば、複数枚の布団を同時に干すことができるようになり、また、固定枠体の手摺り部への取付部に調整機構を設ければ、各種タイプのベランダの手摺り部に対応できるようになって、汎用性を高めることができる。また、第１回動枠体の接続パイプの中間部を折れ曲り自在にすれば、回動操作が楽に行えるようになり、固定枠体の傾斜パイプの中間部を折れ曲り自在にすれば、収納時の見栄えを良好にすることができる。
【考案を実施するための最良の形態】
【００１２】
本考案の実施の形態について添付した図面に基づき説明する。
ここで図１は本考案に係る布団干し具の基本形態の主要部を示す斜視図、図２は同布団干し具をベランダの手摺り部に取り付けた状態の側面図、図３は物干し具として使用する際の状態の説明図で、（ａ）は平面図、（ｂ）はベランダの内側から見た正面図、図４は収納状態の説明図で、（ａ）は平面図、（ｂ）はベランダの内側から見た正面図、図５、図６は手摺り部へ取り付けるための固定枠体の取付構造の説明図、図７は接続パイプと傾斜パイプの中間部を折曲げ可能にした構成例の説明図、図８は押えパイプを一体に構成した場合の説明図である。
【００１３】
本考案に係る布団干し具は、マンション等の手摺り部に簡単に装着でき、複数枚の布団の片面全面が簡単な操作で日干しでき、しかも不使用時にはコンパクトに纏まって外部から見た場合の見栄えが良好にされるとともに、布団の姿勢を安定した状態で干すことができるようにされている。
【００１４】
すなわち、本布団干し具１の基本形態は、図１及び図２に示すように、ベランダの手摺り部Ｔ（図２）に取り付けられる固定枠体２と、この固定枠体２の固定基準軸２０周りに回動自在に設けられる第１回動枠体３と、固定基準軸２０周りに回動自在に設けられる第２回動枠体４と、この第２回動枠体４の第２基準軸４０周りに回動自在に設けられる第３回動枠体５を備えており、第１、第２、第３回動枠体３、４、５はいずれも不使用時にはベランダの裏側に回動させて収納できるようにされている。
【００１５】
前記固定枠体２は、ベランダの手摺り部Ｔに取り付けられる二ヶ所の取付部２１と、この取付部２１から上方に延出するパイプに接続され、且つベランダの外側が高く内側が低くなるような傾斜を持って手摺り部Ｔと直角に配設される二本の傾斜パイプ２２と、この傾斜パイプ２２の基端側に接続される前記固定基準軸２０と、この固定基準軸２０の傾斜パイプ２２との接続部から下方に向けて垂下する二本の縦パイプ２３と、この縦パイプ２３の下端部に接続され、手摺り部Ｔと直角方向に延出する二本の支持パイプ２４と、各支持パイプ２４の外側寄り端部に接続される連結パイプ２５を備えている。また、各支持パイプ２４の内側寄り端部は、縦パイプ２３より後方に張り出しており、この張出上面部が第２受部２７とされている。また、前記傾斜パイプ２２の外側寄り端部には、半割り筒型の第１受部２６が設けられている。
【００１６】
そして、前記取付部２１には、後述するような手摺り部Ｔの幅や高さが異なっている場合にも取付幅や取付高さを調整することのできる調整機構６０が設けられて手摺り部Ｔの上端部に着脱自在にされており、また、本実施例では、前記連結パイプ２５を後述するクランプ具７０を使用して手摺り部Ｔの下端側に固定できるようにしているが、その具体的構造については後述する。
【００１７】
前記第１回動枠体３は、前記固定基準軸２０の両側端部に回動自在に嵌合する回動軸受３１と、この回動軸受３１に接続される二本の接続パイプ３２と、各接続パイプ３２の先端部に接続される第１基準軸３０によって矩形枠体形状にされ、固定基準軸２０周りに回動自在にされるとともに、前方に向けて回動させた際に、第１基準軸３０が前記傾斜パイプ２２先端の第１受部２６によって支持されるようになっている。また、第１基準軸３０は、軸方向に対して伸縮自在にされている。
【００１８】
前記第２回動枠体４は、前記固定基準軸２０の両側端部寄りと中央部の三ヶ所に回動自在に嵌合する回動軸受４１と、各回動軸受４１に接続される三本の接続パイプ４２と、各接続パイプ４２の先端部に接続される第２基準軸４０によって矩形枠体形状にされ、固定基準軸２０周りに回動自在にされている。
【００１９】
前記第３回動枠体５は、前記第２基準軸４０に回動自在に嵌合する二ヶ所の回動軸受５１と、この回動軸受５１に接続される接続パイプ５２と、接続パイプ５２の先端部に接続される第３基準軸５０によって矩形枠体形状とされ、第２基準軸４０周りに回動自在にされている。
【００２０】
そして、第２回動枠体４と第３回動枠体５を回動させることにより、第３基準軸５０を固定枠体２の第２受部２７上に載置させると、第２基準軸４０が固定基準軸２０より高位に位置するようにされている。
【００２１】
前記固定枠体２の取付部２１の構造について、図５に基づき説明する。
固定枠体２の取付部２１には、前述のように、手摺り部Ｔの上端部の幅や高さに合わせて取付幅や取付高さを調整することのできる調整機構６０が設けられており、この調整機構６０は、前記傾斜パイプ２２に接続される縦向きパイプが取り付けられる支持板６１と、この支持板６１の両端部寄りに揺動自在に連結される一対の挟持部材６２と、各挟持部材６２に対して上下方向に位置調整可能な上下調整部材６３を備えており、手摺り部Ｔの幅に合わせて挟持部材６２で調整し、高さに合わせて上下調整部材６３で調整した後、それぞれの蝶ナット６４で締付けることにより、手摺り部Ｔに固定できるようにされている。
【００２２】
次に、手摺り部の下端部寄りに連結パイプ２５を固定するクランプ具７０のクランプ構造について図６に基づき説明する。
前記のように、連結パイプ２５は、固定枠体２の支持パイプ２４の先端部に固定されているが、本実施例では、この連結パイプ２５の位置を固定するため、クランプ具７０と、他の固定用パイプ７１を使用して固定するようにしている。
そして、クランプ具７０は、図６に示すように、半割り筒７２を保持する保持板７３からなる一対のクランプユニットが、間隔調整板７５によって揺動自在に連結されており、一方側のクランプユニットの半割り筒７２が連結パイプ２５の外周に嵌合され、手摺り部Ｔを支持する支柱を挟んで反対側に配置される固定用パイプ７１に他方側のクランプユニットの半割り筒７２を嵌合させた後、蝶ナット６４を締め付けることにより、固定枠体２側の連結パイプ２５を手摺り部Ｔの下端側に固定できるようにされている。
【００２３】
このため、固定枠体２は、取付部２１の調整機構６０により、手摺り部Ｔの上端部に固定されるとともに、クランプ具７０によって手摺り部Ｔの下端側にも固定されることとなり、この際、手摺り部Ｔの幅や高さが変化しても対応できるため、固定構造の汎用性は高い。
【００２４】
ところで、以上のような布団干し具１には、干した布団が確実にずり落ちないようにするための押えパイプ６（図１、図２）が設けられており、この押えパイプ６は、図１に示す状態で布団Ｆを干す際は、固定基準軸２０に対応する箇所の布団Ｆの上部に載置して、押えパイプ６と固定基準軸２０との間で且つ布団Ｆと布団Ｆの隙間部分を結束バンド７で締付けて固定できるようにされ、不使用時には、前記第２受部２７の上部に載置したり、第２基準軸４０などにバンド７でしばりつけたりして収納できるようにされている。
【００２５】
次に、以上のような布団干し具１の使用要領等について説明する。
まず、物干し具として使用しないときは、図４に示すように、第２回動枠体４と第３回動枠体５を後方に回動させ、その後、第１回動枠体３も後方に回動させる。すると、第１、第２、第３回動枠体３、４、５はいずれもベランダの壁の裏側に収納され、しかも収納状態がベランダの壁に近接した状態になるため、ベランダの通路の邪魔にならない。
そして、固定枠体２の傾斜パイプ２２部分の一部だけが外部に露出した状態であるため、見栄えが低下するような不具合がない。
【００２６】
次に、布団を干す際は、図３に示すように、第１回動枠体３を前方に回動させて、第１基準軸３０を第１受部２６の半割り筒に嵌合させ、第２、第３回動枠体４、５を前方に回動させて、第３基準軸５０を第２受部２７上に載せる。すると、図２に示すように、第１基準軸３０、第３基準軸５０は固定基準軸２０より高位に位置するようになり、側面視で略Ｖ字型形状となる。そして、この上に布団Ｆを掛けて押えパイプ６により上から押え付けた状態にして、結束バンド７により固定基準軸２０と押えパイプ６とを固定すれば、布団Ｆは確実に布団干し具１に固定され、ずり落ちるような心配はない。なお、この時の状態は、図２の通りである。
【００２７】
そして、布団Ｆを複数枚干すときは、第１基準軸３０と第２基準軸４０を伸ばすことにより、同時に三枚の布団Ｆを干すことができるようにしている。
【００２８】
以上のような要領により、本布団干し具１は、マンション等のベランダの手摺り部Ｔに簡単に装着でき、複数枚の布団の片面全面が簡単な操作で日干しでき、しかも不使用時にはコンパクトに纏まって外観の見栄えが低下しないようにされ、更に、布団の姿勢を安定した状態で干すことができる。
なお、本実施例では、連結パイプ２５の固定のためクランプ具７０を利用しているが、直接ひも等で縛り付けて固定するようにしても良い。
【００２９】
次に、固定枠体２の傾斜パイプ２２と、第１回動枠体３の接続パイプ３２の中間部を折り曲げ自在にした構成例について、図７に基づき説明する。
この構成例は、ベランダから第１回動枠体３を回動させる操作の容易化を図るとともに、布団干し具１を収納した際の外観性の向上を図ったものであり、図７（ａ）に示すように、接続パイプ３２の中間部に、接続パイプ３２を上下方向に折り曲げるための折曲げ部ｓを設けるとともに、傾斜パイプ２２の中間部に、傾斜パイプ２２を横方向に折り曲げるための折曲げ部ｒを設けている。
そして、図７（ｂ）に示すように、第１回動枠３を回動させる際、接続パイプ３２の折曲げ部ｓを介して先端側を上方に折り曲げて回動させることにより、回動操作を楽に行うことができる。
また、図７（ｂ）に示すように、固定枠体２の傾斜パイプ２２の折曲げ部ｒを介して第１受部２６をそれぞれ内側に折り曲げれば、収納状態がすっきりと纏まり、外部から見た場合でも見栄えの低下が防止される。
【００３０】
なお、以上の実施例では、押えパイプ６を布団干し具１とは別体に構成し、収納時は結束バンド７等で固定しているが、図８に示すように、布団干し具１と一体に構成するようにしてもよい。そして、図８の場合は、押えパイプ６を回動軸受８１を介して第２回動枠体４の第２基準軸４０に回動自在に設けた構成例を示している。
【産業上の利用可能性】
【００３１】
マンション等のベランダで、布団の片面側全面を日光に当てて干すことができ、しかも不使用時にはコンパクトに収納してベランダの面積を広く使用できるため、一般家庭等における布団干し具として実用性が高い。
【図面の簡単な説明】
【００３２】
【図１】本考案に係る布団干し具の基本形態の主要部を示す斜視図
【図２】同布団干し具をベランダの手摺り部に取り付けた状態の側面図
【図３】物干し具として使用する際の状態の説明図で、（ａ）は平面図、（ｂ）はベランダの内側から見た正面図
【図４】収納状態の説明図で、（ａ）は平面図、（ｂ）はベランダの内側から見た正面図
【図５】手摺り部の上端部へ取り付けるための固定枠体の取付構造の説明図
【図６】手摺り部の下端側へ取り付けるための固定枠体の取付構造の説明図
【図７】接続パイプと傾斜パイプの中間部を折曲げ可能にした構成例の説明図で、（ａ）は展張状態の説明図、（ｂ）は収納時の説明図
【図８】押えパイプを一体に構成した場合の説明図
【符号の説明】
【００３３】
１…布団干し具、２…固定枠体、３…第１回動枠体、４…第２回動枠体、５…第３回動枠体、２０…固定基準軸、２１…取付部、２２…傾斜パイプ、２６…第１受部、２７…第２受部、３０…第１基準軸、３２…接続パイプ、４０…第２基準軸、５０…第３基準軸、６０…調整機構、Ｆ…布団、Ｔ…手摺り部、ｒ…折曲げ部、ｓ…折曲げ部。
【図１】
0003120381.tif 000003
【図２】
0003120381.tif 000004
【図３】
0003120381.tif 000005
【図４】
0003120381.tif 000006
【図５】
0003120381.tif 000007
【図６】
0003120381.tif 000008
【図７】
0003120381.tif 000009
【図８】
0003120381.tif 000010